(57)【要約】【課題】消費電力の節減、装置の軽量化及び生産コストを削減し、検証物の発見を容易にできる検証物発見装置を提供する。【解決手段】照明部１１の光源として複数個のＬＥＤを使用し、照明部の投光面を横方向に向けた姿勢で所望の設置面３上に設置する携帯型照明器１と、柄部２０の先端に鏡部を取付けた検証物発見用ミラー２とを備える。鏡部の鏡面２３側を照明部の投光面側に向けて照明部を投光面から照射される照明光３０の照明エリア３１内の所望の地点に前記ミラーの鏡部を配置して検証物Ｘを発見するように構成する。【選択図】図１
0003176515.tif 000002
【実用新案登録請求の範囲】
【請求項１】
電池収容部と、光源として複数個のＬＥＤを使用した照明部とを有し、前記照明部の投光面を横方向に向けた姿勢で所望の設置面上に設置する携帯型照明器と、
柄部と、当該柄部の先端に取付けた鏡部とを有し、前記鏡部の鏡面側を前記照明部の投光面側に向けて前記照明部の投光面から照射される照明光の照明エリア内の所望の地点に配置する検証物発見用ミラー
とを具備してなることを特徴とする検証物発見装置。
【請求項２】
前記鏡部は前記柄部の先端に、前記鏡面側の前記柄部に対する角度を調整可能に取付けてあることを特徴とする請求項１に記載の検証物発見装置。
【請求項３】
前記柄部は伸縮可能に構成されていることを特徴とする請求項１又は２に記載の検証物発見装置。
【考案の詳細な説明】
【技術分野】
【０００１】
本考案は検証物発見装置、特に、例えば鑑識、事件や交通事故処理等の際に使用する検証物発見装置に関する。本考案の装置は屋外及び屋内の両方に使用される。
【背景技術】
【０００２】
例えば、鑑識、事件や交通事故処理等の際には、微物，毛髪，足跡，タイヤ痕，塗料片その他の検証物を発見するために、夜間等においては懐中電灯などの携帯型照明器を一般に使用している。この種の携帯型照明器は、その用途上からして、市販の一般的な懐中電灯などに比べて高輝度、かつ、大きな照度で投光できる高視認性のものが好ましい。
【０００３】
そこで、上記点を考慮して、光源としてメタルハライドランプ（ＨＩＤランプ）を採用した携帯型照明装置が提案されている。
【０００４】
例えば、特開２００１−２６６６３６号公報には、電池とスイッチを有する本体ケースの先端に、ＨＩＤランプ（ＨＩＤバルブ），反射鏡，レンズなどを有するヘッドケースを備えた携帯型照明装置が開示されている（特許文献１参照）。この特許文献１の携帯用照明装置（以下、「先行装置」という）によれば、高輝度かつ、大きな照度で太陽光に近い白色の光を投射するので、視認性を向上する。したがって、例えば、鑑識、事件、交通事故処理等に際し、目的の道路や床などに先行装置を横向き姿勢（投光面を横方向に向けた姿勢）で設置し、横方向（略水平方向）に光を照射することにより、微物，足跡，タイヤ痕、塗料片，毛髪等を発見することができる。
【０００５】
しかし、先行装置は、光源としてＨＩＤランプを使用しているため、電気消費量が多いと共に重量が重くなり、かつ、生産コストが高い等の問題を有している。
【先行技術文献】
【特許文献】
【０００６】
【特許文献１】特開２００１−２６６６３６号公報
【考案の概要】
【考案が解決しようとする課題】
【０００７】
本考案は上記のような実情に鑑みてなされたもので、先行装置に比べて消費電力を節減、重量を軽量化、生産コストを削減、かつ、検証物を容易に発見できる検証物発見装置を提供することを目的とするものである。
【課題を解決するための手段】
【０００８】
上記目的を達成するため、本考案は、電池収容部と、光源として複数個のＬＥＤを使用した照明部とを有し、前記照明部の投光面を横方向に向けた姿勢で所望の設置面上に設置する携帯型照明器と、
柄部と、当該柄部の先端に取付けた鏡部とを有し、前記鏡部の鏡面側を前記照明部の投光面側に向けて前記照明部の投光面から照射される照明光の照明エリア内の所望の地点に配置する検証物発見用ミラーとを具備してなることを特徴とする。
なお、本考案の装置は屋外及び屋内の両方に適用可能である。
【０００９】
本考案において、前記鏡部は前記柄部の先端に、前記鏡面側の前記柄部に対する角度を調整可能に取付ける構成を採用することができる。
【００１０】
本考案において、前記柄部は伸縮可能に構成した柄部を採用することができる。
【考案の効果】
【００１１】
本考案によれば次のような効果を奏する。
（１）照明部の投光面が照射される照明光は目的の床面や路面上等に照射されるが、この光の一部は鏡部の鏡面にも投射されて反射し、この反射光も前記床面や路面上に照射される。そのため、目的の床面等に照射される光の照明度が大になるので、床面上等の現場に残されている微物，毛髪，足跡或いはその他の残留物（検証物）が見え易くなる。したがって、検証物（目的物）を見落としなく容易に発見することができる。
（２）床面上等の現場に残されている微物，毛髪，足跡等は鏡部の鏡面にも鮮明に写される。したがって、鏡面を見ることによっても目的物（検証物）を発見することができる。この場合において、実験の結果、床面上等に比べて鏡面の方が見え易くなる場合があることも判明している。
（３）照明部は光源としてＬＥＤを採用したので、電気消費量をＨＩＤランプと比べて節減できると共に装置（携帯型照明器）を軽量化できる。また、生産コストも安くすることができる。
【図面の簡単な説明】
【００１２】
【図１】本考案の一実施形態の検証物発見装置の構成を概略的に示す説明図であって、同図（ａ）は側面図、同図（ｂ）は平面図である。
【図２】前記装置に採用した携帯型照明器の構成を概略的に示す図であって、同図（ａ）は斜視図、同図（ｂ）は正面図である。
【図３】前記装置に採用した検証物発見用ミラーの構成を概略的に示す図であって、同図（ａ）は斜視図、同図（ｂ）は一部を切欠して示す平面図である。
【図４】本考案の他の実施形態の検証物発見装置の構成を概略的に示す説明図であって、同図（ａ）は側面図、同図（ｂ）は平面図である。
【図５】図４に示す検証物発見装置に採用した携帯型照明器の構成を概略的に示す図であって、同図（ａ）は正面図、同図（ｂ）は平面図、同図（ｃ）は側面図である。
【考案を実施するための形態】
【００１３】
以下、図面を参照して本考案の実施形態の一例について説明する。図１ないし図３は本考案の一実施形態（実施形態１）の検証用発見装置を示す。これらの図１ないし図３に示すように、実施形態１の検証用発見装置は、携帯型照明器１と、検証物発見用ミラー２とを備える。
【００１４】
前記照明器１は、電池収容部１０と、この収容部１０の先端部に設けた照明部１１とを備える。
【００１５】
実施形態１の電池収容部１０は、図示しない充電式電池その他の電池等を収容する略円筒状のケース状に形成されている。前記収容部１０に電池（図示せず）等を取り出し可能に収容してある。収容部１０の後端には蓋部材１２が着脱可能に螺合して設けてある。収容部１０には図示しない制御基板やスイッチが収納されている。
【００１６】
照明部１１は、電池収容部１０の先端部に設けてある。照明部１１は図２（ｂ）に示すように、光源１３と、反射板１４と、この反射板１４の前面側に設けた保護用透明板１５とを備えている。反射板１４は鏡面加工を施した金属板で形成されている。前記透明板１５の前面側の面が照明部１１の投光面１６となる。
【００１７】
本考案においては、前記光源１３として、複数個のＬＥＤ１３ａ…１３ａ（発光ダイオード）を使用している。実施例１では、各ＬＥＤ１３ａとして白色ダイオード（白色ＬＥＤ）を採用している。実施形態１では、照明部１１の中心部に１個のＬＥＤ１３ａを設けると共に、前記ＬＥＤ１３ａの周囲に略等間隔で６個のＬＥＤ１３ａ…１３ａを設け、これら各ＬＥＤ（合計７個）で光源１３を構成してある。この場合、ＬＥＤ１３ａの数量は任意に増減可能である。
【００１８】
前記照明器１は、適当部に光源（前記各ＬＥＤ）のスイッチ（図示せず）をＯＮ・ＯＦＦ（開閉）操作するスイッチボタン１７を備えている。また、照明器１は、収容部１０の適当部に取っ手１８を備えている。
【００１９】
前記スイッチをＯＮ操作することにより、各ＬＥＤの光は照明部１１の投光面１６から前方へ照射され、この光が照明光３０（図１参照）となる。前記光を照射する区域、即ち、照明エリア３１（特に横巾及び距離）は特に限定されないが、例えば距離（照射長さ）として、約５ｍないし約８ｍ程度に設定できる。また、エリア３１の巾として、投光面側は約１０ｃｍないし約２０ｃｍ、遠方側は約１．０ｍないし約２．０ｍ程度（照明光３０は次第に拡大する）に設定できる。なお、光源１３の各ＬＥＤは３Ｗ程度のものを採用できる。
【００２０】
前記照明器１は、照明部１１の投光面１６を横方向に向けた姿勢で道路や床面その他の所望の設置面３（図１（ａ）参照）に安定して使用される。実施形態１では、照明器１の適当部（図示では取っ手１８の取付部と反対側の部位）に台部１９を設け、照明器１を所定の横方向に向けた姿勢で安定して設置面３上に設置するように構成してある。
【００２１】
実施形態１の携帯型照明器１は上記構成を具備している。この照明器１は、図１に示すように、照明部１１の投光面１６を横方向に向けた姿勢で事件や交通事故等の現場の床面や路面その他所望の設置面３上に設置して使用される。そして、光源１３のスイッチをＯＮにすることにより、光源１３の各ＬＥＤからの光は照明部１１の投光面１６から前記設置面の前方側の床面ないし路面上に照射される。これにより、前記光が照射される区域の床面や路面は照明光により照射され、明るくなるので微物や毛髪その他の検証物Ｘ（図１（ｂ）参照）が見え易くなるので、発見することができる。
【００２２】
前記検証物発見用ミラー２は、柄部２０と、柄部２０の先端に取付けた鏡部２１とを備える。
【００２３】
柄部２０は任意の素材で所望の径及び長さに形成する。実施形態１の柄部２０はプラスチックやアルミ金属その他の素材よりなる任意本数の管２０ａ，２０ｂ，２０ｃを嵌合して多段式に伸縮可能に構成されている。実施形態１の柄部２０は直径を異にする三本の管２０ａ…２０ｃを用いて三段式に伸縮させるように構成されている。
【００２４】
実施形態１の柄部２０は、各管２０ａ…２０ｃを軸方向へ摺動可能に嵌合し、締付固定具２２ａ，２２ｂにより解除自在に締め付けて、各管を任意の位置で固定し、柄部２０の長さを調節可能に構成してある。なお、管２０ａ…２０ｃの本数は任意に増減可能である。また、柄部２０は１本の管で構成してもよい（この場合は伸縮不可）。
【００２５】
前記鏡部２１は任意の素材で所望の大きさ及び形状に形成する。実施形態１の鏡部２１は、所望の大きさ、例えば約２５ｃｍないし約３０ｃｍ×約２５ｃｍないし約３０ｃｍの略四角形（略正方形）の平板状に形成されている。なお、鏡部２１の大きさは上記範囲内に限定するものではない。
【００２６】
鏡部２１の一方の面は鏡面２３に形成されている。実施形態１の鏡部２１はプラスチック製の基板の一方の面に、アクリル樹脂製等の板材を鍍金等により鏡面加工処理して形成した鏡板を重合して接着等により一体化して形成し、鏡板により鏡面２３を形成してある。なお、鏡部の構成や素材は上記に限定するものではないが、軽量かつ割れ難い素材で構成することが好ましい。
【００２７】
前記鏡部２１は、鏡面２３側の柄部２０に対する角度を任意の角度に調整可能に構成して柄部２０の先端に任意の取付手段で取付けて設けられる。本実施形態では、前記取付手段として、コ字状に形成した金属製の取付部材２４と、蝶ネジ２５及び蝶ナット２６を採用している。
【００２８】
前記取付部材２４は、鏡部２１の一側部における鏡面２３上に取付部材２４の底板２４ａをネジ及びナット等（図示せず）で固定して設けてある。そして、柄部２０の先端、即ち、本実施形態では管２０ａの先端を取付部材２４の対向する両側板２４ｂ，２４ｃ間に挟入し、その状態で両側板２４ｂ，２４ｃ及び管２０ａの先端部を貫通して蝶ネジ２５を挿入し、蝶ネジ２５の突出端部に蝶ナット２６を螺合してある。
上記により、鏡部２１及び柄部２０は前記ネジ２５を支点として互に接近・離反するように旋回可能に構成されている。したがって、上記構成により、鏡部２１は、鏡面２３側の柄部２０に対する角度を調整可能に構成して柄部２０の先端に取付けてある。また、蝶ナット２６を締め付けることにより、鏡部２１と柄部２０は固定される。
【００２９】
実施形態１の検証物発見用ミラー２は上記構成を具備している。前記ミラー２は、図１に示すように、鏡部２１の鏡面２３を照明部１１の投光面１６側に向けて投光面１６から照射される照明光３０の照明エリア３１内の所望の地点に配置して使用される。
【００３０】
実施形態１の検証物発見装置は上記のように構成したもので、次に具体的な使用方法の一例及び作用等について説明する。
【００３１】
図１に示すように、前記照明器１を、投光面１６を横方向に向けた姿勢で床面や路面その他の所望の設置面３上に設置する。この場合、投光面１６を所望の方向に向けて照明器１を設置する。そして、スイッチボタンを操作して光源１３の各ＬＥＤをＯＮにする。これにより、光源１３からの光は投光面１６から目的の床面ないし路面上等に照射される。
【００３２】
一方、上記状態で柄部２０を手で握り、鏡部２１の鏡面２３を投光面１６側に向けて投光面から照射される照明光３０の照明エリア３１内の所望の地点に配置する。この場合、鏡面の投光面に対する角度を柄部２０で操作して任意に調整する。
【００３３】
上記により、照明部１１の投光面から照射される照明光３０は目的の床面や路面上等に直接照射されるが、この光の一部は、図１（ａ）の矢印４で示すように鏡部２１の鏡面にも投射（照射）される。鏡面に照射された光は図１（ａ）に矢印５で示すように鏡面で反射し、この反射光も前記床面や路面上等に照射される。そのため、目的の床面等に照射される光の照明度が大になるので、床面や路面上等に残されている微物，毛髪，足跡、或いはその他の残留物（検証物）Ｘが一層見え易くなる。したがって、検証物Ｘ（目的物等）を見落としなく容易かつ、確実に発見することができる。
【００３４】
また、床面や路面上等に残されている微物，毛髪，足跡、その他の物件Ｘ（検証物）は、図１（ａ）に矢印６で示すように鏡部２１に鏡面２３にも鮮明に写される。したがって、鏡面を見ることによっても目的物（検証物）を発見することができる。この場合において、実験の結果、床面や路面上等に比べて鏡面の方が見え易くなる場合があることも判明している。
【００３５】
図４ないし図５は本考案の他の実施形態（実施形態２）を示す。実施形態２の検証物発見装置において、実施形態１で既に説明した構成と共通する構成部等には同一符号を付して説明を省略する。実施形態２は携帯型照明器の照明部の光源を構成するＬＥＤの配置形態等の構成等に特徴がある。
【００３６】
実施形態２の携帯型照明器１Ａは、電池収容部１０Ａと、この収容部１０Ａの先端部に設けた照明部１１Ａとを備える。
【００３７】
前記収容部１０Ａは略円筒状のケース状に形成され、収容部１０Ａの後端には蓋部材１２Ａが着脱可能に螺合して設けてある。また、収容部１０Ａの適当部には上述したスイッチをＯＮ・ＯＦＦ（開閉）操作するスイッチ操作部１７Ａが設けてある。
【００３８】
照明部１１Ａは電池収容部１０Ａの先端部に設けてある。照明部１１Ａは横長の略長方形の箱形状に形成し、前方を開口したケース部７を備える。光源１３と、反射板１４、及び保護用透明板１５はケース部７内に設けてある。ケース部の大きさは特に限定されないが、例えば横巾を約１０ｃｍないし約２０ｃｍ程度に形成できる。但し、上記寸法の範囲に限定するものではない。
【００３９】
実施形態２の光源１３は、複数個（図示では６個）のＬＥＤ１３ａ…１３ａ（発光ダイオード）をケース部７内に横方向に略等間隔で一列に並べて配設し、これら各ＬＥＤで構成されている。この場合、ＬＥＤ１３ａの数量は任意に増減可能である。なお、実施形態２においても、前記各ＬＥＤ１３ａとして白色光ダイオード（白色ＬＥＤ）を採用している。
【００４０】
また、実施形態２においても前記透明板１５の前面側が照明部１１Ａの投光面１６となる。他の構成は実施形態１と同様である。なお、検証物発見用ミラー２は実施形態１と同一に構成されている。
【００４１】
実施形態２の検証物発見装置は上記のように構成され、図４に示すように実施形態１と同様に使用される。これにより、実施形態１と同様の作用効果を奏する。
【００４２】
なお、上記した各実施形態の検証物発見装置は一例として開示したもので、本考案は上記の実施形態に限定されるものではなく、実用新案登録請求の範囲に記載の技術思想を越脱しない範囲内において任意に変更可能なものである。
【符号の説明】
【００４３】
１        携帯型照明器
２        検証物発見用ミラー
３        設置面
１０      電池収容部
１１      照明部
１３      光源
１６      投光面
２０      柄部
２１      鏡部
２３      鏡面
３０      照明光
３１      照明エリア
Ｘ        検証物
【図１】
0003176515.tif 000003
【図２】
0003176515.tif 000004
【図３】
0003176515.tif 000005
【図４】
0003176515.tif 000006
【図５】
0003176515.tif 000007